(57)【要約】  吸収性物品は、約２．３〜約６の製品臀部−側部シルエット、及び約２．３〜約６の製品腰部−側部シルエットを有することができる。吸収性物品アレイは、約２．３〜約６のアレイ平均製品臀部−側部シルエット、及び約２．３〜約６のアレイ平均製品腰部−側部シルエットを有することができる。
2020525082.tif 000002
【特許請求の範囲】
【請求項１】
中央シャーシを有する吸収性物品であって、前記中央シャーシが、トップシートと、バックシートと、吸収性コアと、を備え、前記吸収性物品が、
前側腰部領域及び前側腰部縁部と、
後側腰部領域及び後側腰部縁部と、
前記前側腰部領域に配設された前側ベルトと、
前記後側腰部領域に配設された後側ベルトと、を備え、
前記前側及び後側ベルトがサイドシームで接合されて、腰部開口部及び脚部開口部を形成し、
前記物品が、約２．３〜約６の製品臀部−側部シルエットを有し、
前記物品が、約２．３〜約６の製品腰部−側部シルエットを有する、吸収性物品。
【請求項２】
前記前側及び後側ベルトが有孔フィルムを含む、請求項１に記載の吸収性物品。
【請求項３】
前記吸収性コアが、セルロース繊維と吸収性ゲル材料とを含む、請求項１又は２に記載の吸収性物品。
【請求項４】
前記サイドシームが再締結可能である、請求項１〜３のいずれか一項に記載の吸収性物品。
【請求項５】
サイドシーム長が、前記吸収性物品の弛緩製品長の約１０％超かつ約５０％未満である、請求項１〜４のいずれか一項に記載の吸収性物品。
【請求項６】
前記中央シャーシの長手方向長の２５％超であるが５０％未満が、前記前側及び後側ベルトと重複する、請求項１〜５のいずれか一項に記載の吸収性物品。
【請求項７】
前記前側ベルトが、前記サイドシームに直接隣接して、約５０ｍｍ〜約１５０ｍｍの長手方向長を有する、請求項１〜６のいずれか一項に記載の吸収性物品。
【請求項８】
前記前側及び後側ベルトの外側不織布が、前記吸収性物品の前記前側腰部縁部から前記後側腰部縁部まで連続的である、請求項１〜７のいずれか一項に記載の吸収性物品。
【請求項９】
前記物品が、弛緩製品長の約４５％未満の弛緩製品側部長を有する、請求項１〜８のいずれか一項に記載の吸収性物品。
【請求項１０】
前記物品が、約３．２５〜約６の製品臀部−側部シルエットを有し、前記物品が、約３〜約６の製品腰部−側部シルエットを有する、請求項１〜９のいずれか一項に記載の吸収性物品。
【発明の詳細な説明】
【技術分野】
【０００１】
本開示は、下着と一致するような方法で、様々な身体寸法、体形、及び体型にフィットするよう設計された使い捨て吸収性物品、及び使い捨て吸収性物品アレイに関する。
【背景技術】
【０００２】
約２．３を超える製品臀部−側部シルエットを有することの主要な利点は、特に女子用のビキニ及びヒップスター（ローライズショーツ）並びに男子用のローライズブリーフの、下着の製品形状により近い全体的な製品形状を提供することである。これらの製品形状は、身体のカバー範囲を最小化しつつ（通気性、快適性、運動の自由度を向上させ、皮膚のカバー範囲を最小化するなど）より高レベルの目立ちにくさを提供し、身体臀部周長又はその近傍での集中的な固定により、吸収性物品が適用された後に身体上で動き回ることを防止する。その結果得られる設計により、着用者の腰部及び臀部に効果的に製品を固定することが可能となり、結果として、製品は、一部には、標的固定バンドと組み合わせて短い弛緩製品側部長によって適用されやすくなる。より小さな製品臀部−側部シルエットを有する製品、例えば、約１．７未満の製品臀部−側部シルエットを有する製品は、かなり長い弛緩製品側部長を有し、その結果、より広い固定バンドを有し、より大きな力の腰部輪をもたらすため、より短い側部長のものよりも着用者にとって適用するのがより困難になるだけでなく、締め付けが強く、快適性が低く、かつ通気性が低くなり得る。より大きな製品臀部−側部シルエットを有することで、腰部及び臀部に合わせて調節された製品のフィット性ももたらされ、それによって、より効果的なガスケット、改良されたカバー範囲（通気性改善、皮膚カバー範囲改善、快適性向上、運動の自由度向上などのためのカバー範囲の低減）、及び改良された目立ちにくさが提供される。加えて、下着の一般的な形状を模倣する製品設計により、製品臀部−側部シルエットは、着用者が容易に認識する下着の形状により近いため、着用者により良好でより適合したフィット性を与える。本開示によって有効にされる設計は、デザインによってよりターゲット付けされる。すなわち、製品は、着用者の臀部に対して適切に配置され、したがって、着用者の情動的及び心理的なニーズに対処しつつ、より高レベルのフィット性、ガスケット、快適性、及び目立ちにくさを提供する。
【０００３】
本開示の吸収性物品の形状は、過度な量の材料をもたらす過度に長い物品弛緩製品側部長を回避するように設計されている。過度な量の材料は、物品の股部の弛み又は塊化を招く恐れがあると共に、物品上に着用されている衣類の腰部の上方で可視となる場合、目立ちにくさに悪影響も及ぼし得る。過度に長い弛緩製品側部長に関連する過度な量の材料はまた、不適切なフィット、製品の弛み、空所化、及び漏れの原因となる、製品の腰部縁部及び／又は中央シャーシのガスケット要素の不適切な配置を引き起こし得る。
【０００４】
目立ちにくさは、同年齢の他の個人よりもはるかに長く失禁症状を経験し続けている着用者にとって非常に重要である。臀部及び／又は腰部に必要な固定力を提供するが、目立ちにくさを確実にするほど短く設計された弛緩製品側部長は、製品が製品上に着用された衣類の腰部ラインの上方から見えるのを防止しつつ、製品を着用者の臀部及び／又は腰部に適切に配置することを確実にすることになる。身体臀部周長は、臀部突出点との関係により、身体の周りの最大周長を表すことが多いため、一般に、吸収性物品の一次張力線、固定点を確立する。身体臀部周長又はその真上の固定は、製品が身体臀部周長を越えて滑り落ちる、ずり落ちる、又は弛むために製品周長を増大させなければならないときに、有効な固定を提供することができる。これは、より洋ナシ型の体形を有する着用者に特に当てはまる。代替実施形態では、身体腰部周長は、特により砂時計型又はよりリンゴ型の体形を有する着用者にとっては身体周りの最小周長を表し得るため、腰部周長が吸収性物品の一次張力線、固定点となり得る。これは、以下低運動ゾーンとも称される、身体の最小周長（腰のくびれに対する腹部筋目）にフィットする機能であり、臀部における身体寸法の増大に起因する摺動又は弛みのために製品周長を増大させなければならなくなることを意味する。高い弛緩製品臀部周長−弛緩製品側部長比（より短いサイドシーム長）を有する製品は、腰部及び臀部における標的張力線によりフィット及び固定を改善することができ、この張力線は、弛緩製品側部長を最小化して、吸収性物品上に着用されている衣類の腰部の上方に製品が見えるのを防ぐことによって目立ちにくさを最大化すると同時に、製品の位置を維持する集中的な固定バンドを、身体臀部周長又はその近傍に提供する。
【０００５】
本開示の吸収性物品は、人体からの液体及びその他の排泄物を吸収し、封じ込めて、身体及び衣服が汚れるのを防ぐのに用いることができる。夜尿症を含む尿失禁を患っている着用者の尿は、高流速及び大量の場合がある。本開示の吸収性物品は、高い製品臀部−側部シルエット比、すなわち、より狭い固定バンドを有し、これは、腰部及び臀部において製品を着用者に固定するのを助け、更には製品のガスケット要素の配置及び固定を助けることによって、高流速及び／又は大量の場合でも漏れに対する保護を強化する。
【０００６】
従来技術の吸収性物品はデザインが様々であり、それぞれ典型的には、２、３、及び４つのサイズのアレイを含む複数サイズで利用可能である。従来技術の吸収性物品の様々なサイズは、典型的には、例えば、腰部開口部のサイズ、大腿部の周りの開口部のサイズ、及び物品の長さ又は「ピッチ」に影響を及ぼす。従来技術の物品は、典型的には、体重によってサイズ決定され販売されている。消費者が、体重のみに基づいて従来技術の吸収性物品を選択する場合、体重だけでは体形の差異を的確に特徴付けたり、ユーザサイズ全体にわたる解剖学的差異の影響に適切に対処したりできないため、消費者によっては、ずれ、摺動、弛み、垂下がり、又はガスケット効果の喪失などに遭遇する。あるいは、着用者のサイズ範囲内の位置及び／又は着用者の体形によっては、物品の大腿部開口部又はピッチは、適切なフィットには小さすぎる場合があり、着用者の不快感、着用者の皮膚跡、又は物品及び物品ガスケット要素の着用者への不適切な着用若しくは位置決めにつながり、漏れ及び汚れを増大させる可能性がある。
【０００７】
望ましくは、吸収性物品は、着用者の身体との接触を維持し、着用者の身体に可能な限り密接してぴったり合うように設計及びサイズ設定されるべきである。そのような身体とぴったり合う設計は、尿などが着用者の身体に沿って広がり又は進み、吸収性物品に吸収されるのではなく吸収性物品から漏れる可能性を低減させることによって、吸収性物品の有効性を増大させることができる。しかしながら、現在の従来技術の吸収性物品は、製品の形状の機能として体形に十分に対応しておらず、したがって広範囲のユーザに十分にフィットしていない、又は所望レベルの密接なフィット性を提供していない。典型的には、吸収性物品のパッケージは、パッケージ化物品がフィットするように意図されている推奨着用者の体重範囲でラベル表示される。その結果、体重は、物品のサイズを特定するために使用される唯一の基準であることが多い。体重はそれ自体、個人の体形を適切に説明するものではないため、物品の適切なフィット性、快適性、カバー範囲、及びガスケットを提供するのに必要とされ得る製品の形状、臀部若しくは大腿部の周長、又はピッチを画定する助けとならない。事実、潜在的な着用者の他の特徴及び人体計測上の特性（例えば、年齢、身長、腰部周長、大腿部周囲、臀部周長及び高さ）は、推奨体重範囲内で広く異なり得るため、着用者の体重がその範囲内であっても、フィットしない物品をもたらす場合がある。様々な着用者の体形及びサイズにぴったり合う吸収性物品が必要とされている。体形及びサイズは広範であるが、利用可能な製品はこの広い範囲を反映していない。むしろ、所与の製品アレイ内で現在利用可能な吸収性物品は、互いの基準化バージョンである傾向があり、幅広い消費者全体、すなわち、小柄及び大柄な消費者並びに様々な体形の着用者の体形及び寸法の変化の自然な傾向すら追従していない。
【０００８】
今日、世界中で多くの形態、シルエットの下着が販売されており、それらは、一般に、女子用ビキニ、女子用ヒップスター（ローライズパンツ）、女子用ショーツ、女子用ボーイショーツ、男子用ローライズブリーフ、男子用ブリーフ、及び男子用ボクサーブリーフに特徴付けられ得る。これらの様々な下着の形態が存在して個人的な選択肢を着用者に提供することで、着用者が所望する適切なフィット、快適性のレベル、カバー範囲の程度、運動の自由度、及び外観を見出すことを可能にする。使い捨て吸収性物品から「実際の」下着への移行は、全ての介護者及び吸収性物品の着用者が達成を待ちわびるマイルストーンである。尿及び／又はＢＭトレーニング段階中で苦労しているより幼い着用者、特別なニーズを有する着用者、失禁症状のある着用者、及び夜尿症の着用者に関しては、このマイルストーンは、達成が非常に困難である。こうした個人がこのマイルストーンを達成できないことは、心理的及び情動的に大きな影響を及ぼす可能性がある。したがって、優れた漏れ性能、保護、及び信頼性を提供しながら、形状又は形態、フィット、快適性、及び外観の点で、より密接に下着に一致する吸収性物品を作製することは、長年にわたって満たされていない重大な消費者ニーズである。この長年の消費者ニーズが、本開示の基盤を成す。本開示は、製品パラメータに変換される主要な解剖学的パラメータを活用して、より密接に解剖学的構造に一致する、及び／又はより下着らしい経験を与える製品を提供する。本開示の吸収性物品は、ある程度の正常状態並びに情動的及び精神的な緩和を提供するのに役立つ。
【発明の概要】
【発明が解決しようとする課題】
【０００９】
これらは全て本開示の目的である。本開示の実施形態は、言及した様々な目的を組み合わせることができる。特定の実施形態は、記載されている全ての目的を具現化し得るが、そうである必要はない。
【課題を解決するための手段】
【００１０】
吸収性物品は、トップシートと、バックシートと、吸収性コアと、を含む中央シャーシを有してもよい。吸収性物品は、前側腰部領域と、前側腰部縁部と、後側腰部領域と、後側腰部縁部と、前側腰部領域に配設された前側ベルトと、後側腰部領域に配設された後側ベルトと、を備えてもよい。前側及び後側ベルトはシームで接合されて、腰部開口部及び脚部開口部を形成する。物品は、約２．３〜約６の製品臀部−側部シルエット、及び約２．３〜約６の製品腰部−側部シルエットを有することができる。吸収性物品はアレイであってもよく、同様の吸収性物品はそれぞれ、約２．３〜約６の製品臀部−側部シルエット、及び約２．３〜約６の製品腰部−側部シルエットを有し、平均アレイ製品臀部−側部シルエットは約２．３〜約６であり、平均アレイ製品腰部−側部シルエットは約２．３〜約６である。
【図面の簡単な説明】
【００１１】
【図１】体形に対する臀部周長及び側部長を示す。
【図２】体重が増加するにつれて、臀部周長−側部長比の平均比がどのように変化するかを示すグラフである。
【図３】体形に対する臀部幅及び側部長を示す。
【図４ａ】図１２の線４ａ／ｂ−４ａ／ｂに沿った概略断面図である。
【図４ｂ】図１２の線４ａ／ｂ−４ａ／ｂに沿った概略断面図である。
【図５】体重が増加するにつれて、平均身体臀部−側部シルエットがどのように変化するかを示すグラフである。
【図６】弛緩状態にある、閉じた形態のパンツ製品を示す。
【図７】弛緩状態にある、閉じた形態のビキニ型パンツ製品の正面図を示す。
【図８】体形のばらつきを示す。
【図９】既存の製品アレイの例、及び各製品がフィットする対象とする平均体重の、製品臀部−側部シルエットと身体臀部−側部シルエットとを比較した様子を示すグラフである。
【図１０】本発明の製品アレイの例、及び各製品がフィットする対象とする平均体重の、製品臀部−側部シルエットと身体臀部−側部シルエットとを比較した様子を示すグラフである。
【図１１】前側腰部領域及び後側腰部領域に連続ベルトを有し、成形されたベルト脚部縁部を有する、平らに置かれた開いた形態の図７の吸収性物品の平面図である。
【図１２】前側及び後側腰部領域内に連続したベルトを有する、平らに置かれた開いた形態の吸収性物品の平面図である。
【図１３】一対のフラップを有する平らに置かれた開いた形態のパンツおむつの部分切欠平面図であり、着用者に面するおむつの内側が観察者に面している。
【図１４】前側及び後側フラップを有する平らに置かれた開いた形態のパンツおむつの部分切欠平面図であり、衣類に面するおむつの外側が観察者に面している。
【図１５】ベルトが対向する腰部領域を接続している、図１２に示す閉じた形態のパンツおむつの斜視図である。
【図１６】フラップが対向する腰部領域を接続している、図１３に示す閉じた形態のパンツおむつの斜視図である。
【図１７】サイドシームがフラップと対向する腰部領域とを接続している、図１４に示す閉じた形態のパンツおむつの斜視図である。
【図１８】折り畳まれた外側レッグカフの実施例の、図１３の線１８−１８に沿った概略断面図である。
【図１９】図１２の線１９−１９に沿った、後側ベルト状フラップの概略断面図である。
【図２０】サンプルホルダー装置のバーＣ（３０４）及びバーＯ（３０５）を示す。
【図２１】弛緩状態の閉じた形態のパンツの正面図を示す。
【図２２】引張試験装置上のパンツの正面図を示す。
【図２３】代表的な着用者に装着されたパンツの正面図を示し、パンツは（図２４のパンツに対して）腰部のより高い位置にフィットし、腰部縁部が臍の上方にフィットしている。
【図２４】図２３と同じ代表的な着用者に装着されたパンツの正面図を示し、パンツは腰部のより低い位置にフィットし、腰部縁部が臍の下方にある。
【図２５】既存の製品アレイの例、及び各製品がフィットする対象とする体重範囲の、製品腰部−側部シルエットと身体腰部−側部シルエットとを比較した様子を示すグラフである。
【図２６】本発明の製品アレイの例、及び各製品がフィットする対象とする体重範囲の、製品腰部−側部シルエットと身体腰部−側部シルエットとを比較した様子を示すグラフである。
【発明を実施するための形態】
【００１２】
「プルオン衣類」又は「パンツ」とは、画定された腰部開口部及び一対の脚部開口部を有する着用物品であって、脚部開口部の中に脚を挿入し腰部上方へと物品を引っ張り上げることによって、着用者の身体上へと引っ張り上げられる、着用物品を指す。
【００１３】
「使い捨て」とは、洗濯、又は別の方法で衣類として復元若しくは再利用することを目的としない衣類（すなわち、それらは１回使用後に廃棄されることを目的とし、リサイクルされる、堆肥化される、ないしは別の方法で環境に適した方式で処理されることを目的とする）を意味する。プルオン衣類は、身体から排出された様々な排泄物を吸収し封じ込めるように「吸収性」であり得る。
【００１４】
「閉じた形態」とは、連続した腰部開口部及び脚部開口部を形成するために、対向する腰部領域が結合されていることを意味する。図６、７及び１５〜１７を参照のこと。
【００１５】
「アレイ」とは、同様の物品構造（例えば、フラップのエラストマー材が［組成的に及び／又は構造的に］同じである、図形的要素が同じである）を有する、異なるサイズの使い捨て物品を含むパッケージの陳列を意味し、上記パッケージは、同じブランド及び／又は下位ブランドを有し、上記パッケージは、小売店の所与の領域内で互いに近位に配向されている。アレイは、顧客に、異なる個々のパッケージがより大規模ラインアップの一部分であることを伝える類似のパッケージ要素（例えば、パッケージの材料種類、フィルム、紙、主要色、設計主題など）を通常有する製品ラインアップとして市販されている。アレイは、多くの場合、同じブランド、例えば「Ｈｕｇｇｉｅｓ」、及び同じ下位ブランド、例えば「ＧｏｏｄＮｉｔｅｓ」を有する。別のアレイは、ブランド「Ｈｕｇｇｉｅｓ」、及び下位ブランド「Ｐｕｌｌ−Ｕｐｓ」を有してもよい。「ＧｏｏｄＮｉｔｅｓ」アレイと「Ｐｕｌｌ−Ｕｐｓ」アレイとの違いは、例えば、異なるサイドシームを含んでもよく、「Ｇｏｏｄ  Ｎｉｇｈｔｓ」は恒久的に閉じた側部を含み、「Ｐｕｌｌ−Ｕｐｓ」は再締結可能なサイドシームを含む。更に、「ＧｏｏｄＮｉｔｅｓ」は、男子用の主に青色のフィルムバッグ、及び女子用の主にピンク色のフィルムバッグで包装されており、「Ｐｕｌｌ−Ｕｐｓ」も男子用の主に青色のフィルムバッグ、及び女子用の主にピンク色のフィルムバッグで包装されている点で、パッケージが明瞭に異なる。主要な違いは、パッケージに表示された着用者であり、ＧｏｏｄＮｉｔｅｓのパッケージには、Ｐｕｌｌ−Ｕｐｓのパッケージよりも年上の子供が表示されている。
【００１６】
アレイはまた、ブランド、下位ブランド、並びに／あるいはラインアップにわたる特徴及び／又は有益性の商標など、同じ商標を有することが多い。
【００１７】
「オンラインアレイ」とは、共通のオンラインソースによって分配された「アレイ」を意味する。
【００１８】
「製品臀部−側部シルエット」とは、弛緩製品側部長（３０３）（ｍｍ）で割った弛緩製品臀部幅（３０１）（ｍｍ）を意味する。図６及び７を参照のこと。
【００１９】
「アレイ平均製品臀部−側部シルエット」とは、製品アレイで提供される各サイズの平均製品臀部−側部シルエットを意味する。
【００２０】
「弛緩製品長」とは、股部領域における長手方向最遠位点と前側腰部縁部に沿って長手方向最遠位点との間の長手方向距離を意味する。長手方向距離は、製品の長手方向軸線に対して平行に測定される。図６及び７を参照のこと。
【００２１】
「弛緩製品臀部幅」とは、左脚部開口部の上部縁部における製品の左側縁部の横方向最遠位点から、右脚部開口部の上部縁部における製品の右側縁部の横方向最遠位点までの横方向距離を意味する。図６及び７を参照のこと。横方向距離は、製品の長手方向軸線に対して垂直に測定される。
【００２２】
「弛緩製品腰部幅」とは、前側腰部縁部の右側における最遠位点から前側腰部縁部の左側における最遠位点までの横方向距離を意味する。横方向距離は、製品の長手方向軸線に対して垂直に測定される。図６及び７を参照のこと。
【００２３】
「弛緩製品側部長」とは、製品の腰部縁部と側縁部との交点から、製品の脚部開口部の頂部と同じ側縁部との交点までの直線距離を意味する。弛緩製品側部長の測定値は、製品の左側及び右側からの測定値の平均である。図６及び７を参照のこと。
【００２４】
「臀部周長」とは、臀部の最大後部突出部のレベルでの身体の外周を意味する。図１を参照のこと。
【００２５】
「臀部幅」とは、臀部における身体の前側での水平距離を意味し、臀部は、側部から見て臀部の最大突出点と同じレベルで画定される。図３を参照のこと。
【００２６】
「側部長」とは、臍から臀部のレベルまでの垂直距離を意味する（臀部は、側部から見て臀部の最大突出点で画定される）。図３を参照のこと。
【００２７】
「臀部周長−側部長比」とは、側部長（ｍｍ）で割った臀部周長（ｍｍ）を意味する。図１を参照のこと。
【００２８】
「身体臀部−側部シルエット」とは、側部長（ｍｍ）で割った臀部幅（ｍｍ）を意味する。図３を参照のこと。
【００２９】
「腰部周長」とは、臍の中心（臍点）の高さにおける腰部の水平周長を意味する。図１を参照のこと。
【００３０】
「腰部幅」とは、臍点（臍の中心）において身体の前側で水平に測定される身体の幅と定義される。図３を参照のこと。
【００３１】
「側部長」とは、臍から臀部のレベルまでの垂直距離を意味する（臀部は、側部から見て臀部の最大突出点で画定される）。図３を参照のこと。
【００３２】
「腰部周長−側部長比」とは、側部長（ｍｍ）で割った腰部周長（ｍｍ）を意味する。図１を参照のこと。
【００３３】
「身体腰部−側部シルエット」とは、側部長（ｍｍ）で割った腰部幅（ｍｍ）を意味する。図３を参照のこと。
【００３４】
尿失禁、特に夜尿症を患っている消費者は、症状によって精神的な衝撃を受けることが多い。公衆の面前で失禁事象が起きることに対する恐怖など、症状の多くの側面がトラウマの一因となる。吸収性物品を着用しているときでも、漏れの不安、及び着用者の衣服の下の吸収性物品が目立つのではないかという懸念が依然として存在する。このため、より下着に似た、薄くて身体の形状とぴったり合う構造体を、あらゆる体重／年齢範囲にわたって提供することによって、症状の正常化に役立つ製品体験をもたらすことが、本開示の目的の１つである。
【００３５】
図８は、各体重範囲内に存在し得る様々な具体的な体形、すなわち、長方形型（円筒形型としても知られる）、砂時計型、洋ナシ型、及びリンゴ型を示している。着用者は通常、体重が重いほど、この体形スケールの更に右側（リンゴ型）に向かう。これらの体形の出現率は、体重範囲にわたって異なり、例えば、体重が重い着用者ほど、リンゴ型又は洋ナシ型の体形になる確率が高い。吸収性物品は、着用者と、着用者特有の体形又はサイズに最適にフィットする物品とをマッチさせるために、正確な体重値に焦点を合わせるのではなく（これは消費者を不快にさせる場合がある）、特定の体形、例えば、リンゴ型の体形の着用者に向けて販売されてもよい。
【００３６】
より良好なフィット性、より良好な適合性、より良好なガスケット製品を実現するために、製品臀部−側部シルエットをターゲット消費者の身体臀部−側部シルエットに関連付けることが望ましい場合がある。あるいは、より良好なフィット性、より良好な適合性、より良好なガスケット製品を実現するために、製品腰部−側部シルエットをターゲット消費者の身体腰部−側部シルエットに関連付けることが望ましい場合がある。これにより、各消費者に対する着用の快適さを増大させながら、漏れを低減させることができる。加えて、大きいサイズ毎の製品臀部−側部シルエットが、大きいサイズ毎の身体臀部−側部シルエットと同じ一般的傾向をたどる場合の製品アレイは、体重に関係なく、より良好なフィット性、より良好な適合性を有する物品を各消費者に送達することができる。同様に、大きいサイズ毎の製品腰部−側部シルエットが、大きいサイズ毎の身体腰部−側部シルエットと同じ一般的傾向をたどる場合の製品アレイは、体重に関係なく、より良好なフィット性、より良好な適合性を有する物品を各消費者に送達することができる。
【００３７】
臀部周長及び側部長の身体測定基準を図１に示す。臀部周長−側部長比対体重の関係を図２に示す。臀部幅及び側部長の投影体形基準を図３に示す。身体臀部−側部シルエット対体重の関係を図５に示す。図２及び５は、身体臀部周長−側部長対体重と、身体臀部−側部シルエット対体重との間に相関関係があることを示す。
【００３８】
吸収性物品
本開示の吸収性物品は、概して、尿、経血、糞便、又は他の膣分泌物などの排泄物を管理するように設計及び構成される。
【００３９】
一実施形態において、吸収性物品は、トップシート、バックシート及びトップシートとバックシートとの間に少なくとも一部が配設される吸収性コアを含むシャーシを含み得る。吸収性シャーシは、ウエストバンド、レッグカフ及び／又は弾性ストランドを含み得る。各種実施形態では、図１２を参照すると、例示的な吸収性物品１０が、サイドシームの接合前の平坦な非収縮状態で示されており、場合によっては、サイドシームが締結要素５３ａ及びｂによって形成されている。
【００４０】
一実施形態において、図１２を参照すると、吸収性物品１０の一方の端部は前側腰部領域３６として構成され、長手方向に対向する端部は後側腰部領域３８として構成され得る。前側腰部領域３６と後側腰部領域３８との間で長手方向に延びている吸収性物品１０の中間部分は、股部領域３７として構成されてもよい。前側腰部領域３６、後側腰部領域３８、及び股部領域３７のそれぞれの長さは、例えば、図１３及び図１４に示されるように（図１２に示されるような前側及び後側ベルトと一致する）吸収性物品１０の長さの約１／３であってもよい。他の実施形態において、前側腰部領域３６、後側腰部領域３８、及び股部領域３７のそれぞれの長さは、他の寸法を有してもよい。様々な実施形態において、吸収性物品１０は、前側腰部領域３６において横方向に延びる前側腰部端縁部１３６、及び長手方向に対向しかつ後側腰部領域３８において横方向に延びる後側腰部端縁部１３８を有し得る。
【００４１】
一実施形態において、図１２を参照すると、吸収性物品１０のシャーシ１００は、第１の長手方向に延びる側縁部１３７ａと、横方向に対向しかつ第２の長手方向に延びる側縁部１３７ｂと、を含み得る。側縁部１３７はいずれも、前側腰部端縁部１３６と後側腰部端縁部１３８との間で長手方向に延びていてもよい。シャーシ１００は、前側腰部領域３６において横方向に延びる前側腰部端縁部１３６の一部と、長手方向に対向しかつ後側腰部領域３８において横方向に延びる後側腰部端縁部１３８の一部と、を形成してもよい。更に、シャーシ１００は、内面１０２、外面１０４、長手方向軸４２、及び横方向軸４４を含み得る。長手方向軸４２は、前側腰部端縁部１３６の中点を通り、かつ後側腰部端縁部１３８の中点を通って延び得、一方で横方向軸４４は、第１の側縁部１３７ａの中点を通り、かつ第２の側縁部１３７ｂの中点を通って延び得る。
【００４２】
様々な実施形態において、吸収性物品１０の一部又は全部が、横方向に延伸性であるように作られてもよい。吸収性物品１０の延伸性は、着用者が動いている間に吸収性物品１０が着用者の身体にぴったり合うことを可能にするために、望ましい場合がある。異なる寸法の着用者に追加的な身体適用範囲を提供するため、すなわち、吸収性物品１０を個々の着用者に合わせて調節するために、介護者が、前側腰部領域３６、後側腰部領域３８、股部領域３７、及び／又はシャーシ１００を延伸させることを可能にするためにも、延伸性は望ましくあり得る。このような延伸により、股部領域３７が腰部領域３６及び／又は３８よりも比較的低い度合いで延伸される限り、吸収性物品１０に略砂時計の形状がもたれされ得る。この延伸はまた、使用中に吸収性物品１０に合わせて調節された外観を付与し得る。
【００４３】
多くの現在のプルオンパンツ吸収性物品は、ブリーフ型のデザインを有し、フルカットブリーフの下着と寸法上類似する。このようなブリーフ型の物品は、着用者の臍において腰部に、及び臀部のレベルで脚部及び側部に沿ってフィットするように設計される。これらの製品の全ては、腰部において過度の長さを有するため（腰部においてより長い長さを有する図２３を参照のこと。対照的に図２４は、腰部の輪郭が低い位置にある物品を示す）、ウエストバンドが裏返る可能性が高まるだけでなく、高い位置の腰部が、物品上に着用されている衣類の腰部の上方で可視となって目立ちにくさが薄れる。図２３に示されるような、前側（及び後側−図示せず）腰部縁部１３６が着用者４００の臍４０２の上にフィットしているパンツの設計は、図２４に示されるような、前側（及び後側−図示せず）腰部縁部１３６が着用者４００の臍４０２の下にフィットしているパンツの設計と異なっていてもよい。
【００４４】
本開示の吸収性物品は、より大きな製品臀部−側部シルエットを有する。その結果得られるより大きな製品臀部−側部シルエットの形状は、ビキニ又はヒップスターカット下着に近いようなものである。吸収性物品上の着用者の運動によって付与される動力が最小化されるように、ビキニ又はヒップスターシルエットの吸収性物品は、着用者の低運動ゾーン内でフィットするように設計されている。吸収性物品のウエストバンド部分は、物品の弛み又は摺動に寄与しないように吸収性物品を着用者に固定するために、身体に対して斜めにフィットする一次張力線を提供するように設計される。吸収性物品は、好ましくは、弾性腰部機構、弾性レッグカフ、及び弾性側部／臀部パネルを含む着用者の肢部の周りでフィットさせるための弾性機構を更に備え、着用者の運動の自由度だけでなく、着用者上の吸収性物品のフィットと位置を維持するために身体周りに加えられる力の保持を可能にする。本開示の吸収性物品は、典型的には、約２．３超〜約６．０の製品臀部−側部シルエット比を有する。
【００４５】
製品は、低運動ゾーンにフィットするように設計されているため、製品長が減少する結果、サイドシーム長も減少する。所与のサイズ（臀部寸法）の製品長及び側部長の減少は、製品臀部−側部シルエットを増大させる。着用者の快適性を最大化するために、前側腰部縁部が着用者の腹部筋目の曲線又はそれに沿って位置決めされて、吸収性物品の腰部が低運動ゾーンに自然にフィットすることが好ましい。ビキニ／ヒップスターシルエット状の物品は、腹部筋目に沿って、股部を通り、臀部を越えて背部の腰椎にフィットするように設計される。このフィットのスタイルは、身体の最小周囲及び低運動ゾーンに位置付けられる腰部フープを生成し、着用者に最大の快適性を提供すると同時に最大の固定を提供する。これらのビキニ／ヒップスターシルエット型の吸収性物品は、典型的には、長手方向軸に沿って測定したときに弛緩製品長の約４５％未満、好ましくは折り畳まれた製品長の約３５％未満、より好ましくは約２５％未満のサイドシーム長を有している。
【００４６】
本明細書に記載される弾性機構は、着用者の運動によって引き起こされる動的変化を受けるゾーンにおいて、着用者の周囲での吸収性物品の動的フィットを向上させる。特に好ましい実施形態では、吸収性物品には、弾性延伸性を提供する弾性腰部機構、弾性レッグカフ、及び弾性サイド／臀部パネルが設けられ、まずおむつを着用者に弾性的にフィットさせ、使用中にこのフィットを維持することによって、より大きな運動の自由度及びより快適で体形に合ったフィットを着用者に提供する。低運動ゾーンで物品を固定することはまた、製品の安定性及び持続的なガスケットに寄与し、優れたフィット性及び漏れ性能をもたらす。
【００４７】
低運動ゾーンは、着用者の解剖学的構造によって画定される。「低運動ゾーン」は、動的動作にもかかわらず、身体のゾーン又は領域がほぼ変形しないままであるか、又はごくわずかしか運動を受けないことを意味するように定義される。低運動ゾーンは、腹直筋、以降腹部筋目によって作り出される筋目又は折り目を通って各上前腸骨棘に連結する下腹部領域の弓状線によって縁取られている。腹部筋目は、典型的には、着用者が座位に入るとき、腹部によって作り出される皮膚又は筋肉の折り目又は屈曲筋目である。低運動ゾーンは、上前腸骨棘を、大臀筋下の鼡径靱帯に沿って（臀部折り目に沿って）会陰を通り、下後腸骨棘、以下脚部筋目周囲に連結する弓状線によって、各々の横断方向側面で縁取られている。低運動ゾーンは、背中の腰椎曲線（背中のくぼみ）に沿って、大臀筋上の下後腸骨棘を連結する線によって、着用者の背面で縁取られている。本発明の目的のために、着用者の動作によって引き起こされるこのゾーンに発生する力は、臀部を越えて吸収性コアを腰椎曲線へ押し上げて、吸収性コアのフィット性を低下させるのではなく、そのようなフィット性をむしろ向上させる傾向があるので、大臀筋が何らかの動的運動を受けるという事実にもかかわらず、低運動ゾーンは大臀筋のゾーン又は領域も含む。
【００４８】
物品が着用者の腹部筋目の下又は腹部筋目にしっかりとフィットするために、前側腰部縁部は、略弓状の凹状の形状に近似することができるように変形可能であることが好ましい。本明細書で使用するとき、用語「弓状」は、直線以外の線を指すが、弓状線の特定のセグメントは直線セグメントであってもよい。用語「凹状」は、曲線に対する法線が収束する弓状線を示すために使用される。いったん適用されると、腰部縁部は、腹部筋目に概ね対応する弓状の凹状形状に近似することができ、着用者上の３つの点に対応する前側腰部縁部上の３つの点によって解剖学的に画定される。側縁部に隣接する横方向中心線から最も離れた前側腰部縁部の２つの点は、着用者の各前腸骨棘に隣接する点に対応する。第３の点は、着用者の臍にほぼ沿った物品の長手方向中心線に沿った点であり、典型的には着用者の腹部筋目の下側点を画定する。
【００４９】
特定の実施形態では、腹部は、身体に対するフープ応力が制御及び持続されるように、腰部の一次張力線に張り出している。後側腰部縁部は、好ましくは、おむつが着用されるときに腰部縁部が臀部を横切り着用者の前側に向かって斜め下方に配向されるように、弓状の凸状形状に近似するように変形され得る材料で作製される。したがって、後側腰部領域は、運動中に吸収性物品が着用者の身体と共に移動することを防止し、かつ腰椎の湾曲から臀部を越えて腹部筋目の下まで着用者の周囲に斜めの一次張力線を固定するように、背部のくぼみを通過して据えられる、又は別の方法で支持される。この設計はまた、後側腰部領域における空所化を低減する傾向がある。
【００５０】
前側弾性腰部機構及び後側弾性腰部機構はそれぞれ、弾性腰部機構を通って伝達される力が、本明細書で論じるように着用者の身体に対して斜めの線に沿うように、使用時に弓状の形状をとることが好ましい。したがって、前側弾性腰部機構は、好ましくは、着用者の腹部の自然な湾曲に一致する張力線を確立し、着用者の周囲に快適なフィットを提供するために、使用時に略弓状の凹状形状を有する。後側弾性腰部機構は、使用時に略弓状の凸状形状を有して、おむつを背部の腰椎湾曲に更にフィットさせ、連続的な一次張力線を提供するように、張力（一次張力線）が着用者の腹部筋目に向かって下向きに方向付けられることを可能にする。こうした弾性腰部機構の形状により、各弾性腰部機構は、典型的には、横方向に伸張されたときに長手方向軸に沿って示差的伸展性を有する。示差的伸展性のため、各部は、長手方向軸に沿った他の部分よりも大きく横方向に拡張することができる。この示差的伸展性により、着用者が、移動する、座る、及び立つ、並びに着用者に沿って適切な角度で後側弾性腰部機構に張力を方向付ける際に、前側弾性腰部機構を、着用者の腹部と共に示差的に成形、膨張、及び移動させることができる、腹部に適合した前側弾性腰部機構を提供する。
【００５１】
吸収性物品のいずれか又は全ての部分は、２０１４年１月２４日に出願された米国特許出願第６１／９３１，２２９号、名称「ＤＩＳＰＯＳＡＢＬＥ  ＡＢＳＯＲＢＥＮＴ  ＡＲＴＩＣＬＥＳ  ＣＯＭＰＲＩＳＩＮＧ  ＢＡＣＴＥＲＩＯＰＨＡＧＥＳ  ＡＮＤ  ＲＥＬＡＴＥＤ  ＭＥＴＨＯＤＳ」に記載されているバクテリオファージ組成物を含んでもよい。
【００５２】
トップシート
一実施形態において、図４ａ、４ｂ、１２、及び１９を参照すると、吸収性物品１０はトップシート８１を含み得る。トップシート８１は、柔軟であり、柔らかな感触であり、着用者の皮膚に刺激を与えないものであり得、かつ１つ以上の方向において、弾性的に伸縮性であってもよい。更に、トップシート８１は、液体透過性であって、その厚さを通して液体（例えば、経血、尿及び／又は液状の糞便）が浸透可能であり得る。様々なトップシートはまた、例えば、親水性材料を含んでもよく、これは体液を、これらの流体が身体から排出されるときにシャーシ１００の吸収性コア内に引くように構成される。好適なトップシート８１は、広範な材料、例えば、織布及び不織布材料、有孔若しくはハイドロフォーミングされた熱可塑性フィルム、有孔不織布、多孔質フォーム、網目状フォーム、網目状熱可塑性フィルム、並びに／又は熱可塑性スクリムから製造され得る。好適な有孔フィルムは、米国特許第３，９２９，１３５号、同第４，３２４，２４６号、同第４，３４２，３１４号、同第４，４６３，０４５号、同第５，００６，３９４号、同第５，６２８，０９７号、同第５，９１６，６６１号、同第６，５４５，１９７号、及び同第６，１０７，５３９号に記載されているものを含むことができる。
【００５３】
有孔フィルム又は不織布トップシートは、典型的には、排泄物に対して透過性であるが、非吸収性であり、流体がトップシートを通って戻り、着用者の皮膚を再度濡らす傾向を低減することができる。好適な織布及び不織布材料は、天然繊維、例えば、木質繊維若しくは綿繊維、合成繊維など、例えば、ポリエステル、ポリプロピレン若しくはポリエチレン繊維など、又はそれらの組み合わせを含み得る。トップシート８１が繊維を含む場合、当該技術分野において一般的に既知であるとおり、繊維は例えば、スパンボンド、カード、ウェットレイド、メルトブローン、水流交絡、ないしは別の方法で処理されてよい。
【００５４】
トップシートはスキンケアローションを含んでもよい。好適なローションの例としては、限定されるものではないが、米国特許第５，６０７，７６０号、同第５，６０９，５８７号、同第５，６３５，１９１号、同第５，６４３，５８８号、及び同第５，９６８，０２５号に記載されているもの、並びに米国特許出願第６１／３９１，３５３号に記載されているものを含む。
【００５５】
一実施形態において、トップシートは、米国特許第７，１６３，５２８号に記載されているように深さの知覚を作り出すように、図形（例えば、図１５の１１６）を含んでもよい。
【００５６】
バックシート
一実施形態において、図４ａ、４ｂ、１８及び１９を参照すると、例えば、吸収性物品１０は、バックシート８３を含み得る。バックシート８３は、流体又は排泄物（例えば、経血、尿及び／又は液状の糞便）に対して不透過性、又は少なくとも部分的に不透過性であってもよく、薄いプラスチックフィルムから製造することができるが、他の可撓性の液体不透過性材料を使用してもよい。バックシート８３は、吸収性物品１０の吸収性コアに吸収され閉じ込められた排泄物又は流体が、吸収性物品１０に接触する物品（例えば、ベッドシーツ、パジャマ、衣類、及び／又は下着）を濡らすことを防ぎ得る。バックシート８３は、織布若しくは不織布材料、ポリマーフィルム、例えば、ポリエチレン若しくはポリプロピレンの熱可塑性フィルム、並びに／又はフィルム及び不織布材料を含む多層若しくは複合材料（例えば、内側フィルム層及び外側不織布層を有する）を含んでもよい。好適なバックシートは、約０．０１２ｍｍ（０．５ミル）〜約０．０５１ｍｍ（２．０ミル）の厚さを有するポリエチレンフィルムを含み得る。ポリエチレンフィルムの例としては、Ｃｌｏｐａｙ  Ｃｏｒｐｏｒａｔｉｏｎ（Ｃｉｎｃｉｎｎａｔｉ，Ｏｈｉｏ）によって製品名ＢＲ−１２０及びＢＲ−１２１にて、並びにＴｒｅｄｅｇａｒ  Ｆｉｌｍ  Ｐｒｏｄｕｃｔｓ（Ｔｅｒｒｅ  Ｈａｕｔｅ，Ｉｎｄ）によって製品名ＸＰ−３９３８５にて製造されるものがある。
【００５７】
バックシートに好適な１つの材料は、約０．０１２ｍｍ（０．５０ミル）〜約０．０５１ｍｍ（２．０ミル）の厚さを有し、例えばポリエチレン又はポリプロピレンを含む、液体不透過性熱可塑性フィルムであり得る。通常、バックシートは、約５ｇ／ｍ２〜約３５ｇ／ｍ２の坪量を有することができる。バックシートは、一般的には、吸収性コアの外側表面に隣接して位置付けられ、吸収性コアの外側表面に接合することが可能である。例えば、バックシートは、接着剤の均一な連続層、接着剤のパターン層、又は接着剤の別個の線、螺旋、若しくは点の配列によって、吸収性コアに固着されてもよい。例示的であるが非限定的な接着剤としては、Ｈ．Ｂ．Ｆｕｌｌｅｒ  Ｃｏｍｐａｎｙ（Ｓｔ．Ｐａｕｌ，Ｍｉｎｎ．，Ｕ．Ｓ．Ａ．）によって製造され、ＨＬ−１３５８Ｊとして市販されている接着剤が挙げられる。接着剤のフィラメントのオープンパターンネットワークを含む好適な取り付けデバイスの例は、米国特許第４，５７３，９８６号に開示されている。螺旋模様に渦を巻く接着剤フィラメントのいくつかの線を含む別の好適な取り付けデバイスは、米国特許第３，９１１，１７３号、同第４，７８５，９９６号、及び同第４，８４２，６６６号に示されている。あるいは、取り付けデバイスは、熱結合、圧力結合、超音波結合、動的機械的結合若しくはその他の任意の好適な取り付けデバイス、又はこれらの取り付けデバイスの組み合わせを含んでもよい。
【００５８】
一実施形態において、バックシート８３は、より布様の外観を提供するために、エンボス加工及び／又はつや消し仕上げされてもよい。更に、バックシート８３は、吸収性物品１０の吸収性コアから蒸気を逃す（すなわち、バックシート８３は通気性である）一方で、依然として流体又は排泄物がバックシート８３を通過することを防ぐか、又は少なくとも阻止することができる。一実施形態において、バックシート８３の大きさは、例えば、吸収性物品１０の大きさ、及び形成される吸収性物品１０の設計又は構成によって決定され得る。
【００５９】
吸収性コア
各種実施形態において、図４ａ、４ｂ、１８、及び１９を参照すると、吸収性物品１０は、トップシート８１とバックシート８３との間に配設される吸収性コア（「吸収性部材」又は「吸収性アセンブリ」又は「吸収性構造体」又は「吸収性複合体」とも呼ばれる）２００を含み得る。吸収性コア２００は、前側腰部領域３６において横方向に延びる前縁部２３６、長手方向に対向しかつ後側腰部領域３８において横方向に延びる後縁部２３８、第１の長手方向に延びる側縁部２３７ａ、及び横方向に対向しかつ第２の長手方向に延びる側縁部２３７ｂを含み得る。側縁部２３７はいずれも、前縁部２３６と後縁部２３８との間で長手方向に延びていてもよい。一実施形態において、例えば、１つを超える吸収性コア２００、又は１つを超える吸収性コア層が、吸収性物品１０に設けられ得る。吸収性コア２００は、吸収性物品１０と適合可能な任意の好適な大きさ又は形状であり得る。広く受け入れられ、商業的に成功した、本開示の吸収性コア２００として使用される代表的な吸収性構造体が、米国特許第４，６１０，６７８号、同第４，６７３，４０２号、同第４，８８８，２３１号、及び同第４，８３４，７３５号に記載されている。
【００６０】
一実施形態において、好適な吸収性コアは、セルロース系エアフェルト材料を含み得る。例えば、このような吸収性コアは、約４０重量％、３０重量％、２０重量％、１０重量％、５重量％、又は更に１重量％未満のセルロース系エアフェルト材料を含み得る。加えて、このような吸収性コアは、主に、少なくとも６０重量％、７０重量％、８０重量％、８５重量％、９０重量％、９５重量％、又は更には約１００重量％の量の吸収性ゲル材料からなり得る。更に、吸収性コアの一部は、マイクロファイバー接着剤を含んでもよい（適用可能である場合）。そのような吸収性コア、マイクロファイバー接着剤、及び吸収性ゲル材料は、米国特許第５，５９９，３３５号、同第５，５６２，６４６号、同第５，６６９，８９４号、同第６，７９０，７９８号、及び同第７，５２１，５８７号、並びに米国特許公開第２００４／０１５８２１２号に記載されている。
【００６１】
一実施形態では、コアシステムを構成する複数の層を含むコアは、米国特許第８，５３６，４０１号に記載されているように印刷及びエンボス加工されてもよい。
【００６２】
一実施形態において、コアは、米国特許第６，９８９，００６号、同第７，３８１，２０２号、同第７，１７５，６１３号、同第７，８２４，３８６号、同第７，７６６，８８７号、及び同第６，９８９，００５号に開示されているように、シャーシから分離可能であってもよい。そのような実施形態では、本開示に記載されている測定は、シャーシのみに対して行われてもよく、又はシャーシと分離可能なコア／吸収性アセンブリとの組み合わせに対して行われてもよい。
【００６３】
一実施形態では、本開示の吸収性物品、特に、吸収性部材が配設されている部分は、米国特許第６，６４９，８１０号により、３ｇ／秒を超える体液吸収速度を有してもよい。米国特許第６，６４９，８１０号によると、「吸収性部材が配設されている（吸収性物品の）部分」という表現は、吸収性物品が平らに広げられてその平面図で見たときに、吸収性部材によって占められている部分を意味することが意図される。
【００６４】
一実施形態では、吸収性構造体は、米国特許第７，０７３，３７３号によると、３を超える吸収係数を有してもよく、この吸収係数は、吸収性コアの透過性を、正規化された保持容量（これは、保持容量試験によって、また米国特許第７，０７３、３７３号によって規定される）で割ったものと定義される。
【００６５】
一実施形態では、吸収性複合体は、米国特許第６，６４９，８１０号によると、７５ｇ／１００ｃｍ２を超える体液吸収性を有する。
【００６６】
一実施形態では、吸収性物品の対象位置は、米国特許第６，３８３，９６０号によると、３６％を超える吸上値を有し得る。
【００６７】
一実施形態において、吸収性物品は、米国特許第５，８１０，７９６号によると、０．０５〜１．０ｇｆの曲げ剛性を有し得る。
【００６８】
一実施形態では、吸収性物品は、米国特許第６，６４９，８１０号によると、３ｇ／秒を超える股部流体吸収速度を有し得る。一実施形態では、吸収性複合体の凍結乾燥した複合材料は、米国特許第６，６８９，９３４号によると、８０％複合材料飽和レベルにおいて、少なくとも約１．９立方センチメートル（ｃｃ）の液体／秒の吸水率を有し得る。
【００６９】
レッグカフ
一実施形態において、図１３及び１４を参照すると、吸収性物品１０のシャーシ１００は、長手方向に延びかつ横方向に対向するレッグカフ１４７ａ及び１４７ｂを含んでもよく、これらは、着用者の方へと内側に向かいかつ着用者と接触するシャーシ１００の内面上に配設される。レッグカフ１４７ａ及び１４７ｂは、レッグカフ１４７の一方又は両方の近位縁部に又はこれに隣接して配設される、１つ以上の弾性ギャザー部材を含んでいてもよい。加えて、レッグカフの弾性ギャザー部材はまた、レッグカフ１４７の一方又は両方の遠位縁部に又はこれに隣接して配設される１つ以上の弾性ストランド１４６を含んでいてもよい。弾性化したレッグカフ１４７は、脚部領域における排泄物又は流体の漏れを低減するためのいくつかの実施形態を含み得る。弾性化したレッグカフ１４７は、レッグバンド、バリアカフ、弾性カフ、又はガスケッティングカフと呼ばれることがある。好適な弾性化したレッグカフ１４７は、米国特許第３，８６０，００３号、同第４，９０９，８０３号、同第４，６９５，２７８号、同第４，７９５，４５４号、同第４，７０４，１１５号、及び同第４，９０９，８０３号、並びに米国特許公開第２００９／０３１２７３０号に記載されるものを含み得る。レッグカフ１４７は、シャーシ１００の一部を横方向に内側に、すなわち、長手方向軸４２に向かって折り畳むことにより形成されて、シャーシ１００のそれぞれのレッグカフ１４７と側縁部１３７ａ及びｂとの両方を形成することができる。他の実施形態において、レッグカフ１４７は、追加的な層を、シャーシ１００に、シャーシ１００の対応する側縁部１３７ａ及び１３７ｂのそれぞれにおいて、又はこれらに隣接するようにして取り付けることによって形成され得る。一実施形態において、シャーシ１００はまた、側縁部１３７に隣接して配設される他の弾性体を含んでもよく、この弾性体は、弛緩させて、それによって前側腰部領域３６の内面１０２を後側腰部領域３８の内面１０２に向けて引っ張るときに、物品１０が「Ｕ」字型の形状を形成するようにすることができる。
【００７０】
一実施形態において、各レッグカフ１４７は、近位縁部１５７ａ及び１５７ｂを含み得る。これらの縁部１５７ａ及び１５７ｂは、遠位縁部１３９ａ及び１３９ｂと比較して、長手方向軸４２に近接して位置付けられる。レッグカフ１４７は、吸収性コア２００と重なっていてもよく、すなわち、近位縁部１５７ａ及び１５７ｂは、吸収性コア２００のそれぞれの側縁部２３７ａ及び２３７ｂの横方向内側に位置する。このような重なり合った構成は、重なり合わない構成で付与される外観よりも完成品に近い外観を吸収性物品１０に付与するために望ましくあり得る。他の実施形態において、レッグカフ１４７は、吸収性コア２００と重なっていなくてもよい。
【００７１】
一実施形態において、各レッグカフ１４７は、前側腰部端縁部１３６に隣接したレッグカフ取り付けゾーン（図示せず）で、かつ後側腰部端縁部１３８に隣接した長手方向に対向するレッグカフ取り付けゾーン（図示せず）で、シャーシ１００の内面１０２に取り付けられてよい。一実施形態において、レッグカフ取り付けゾーンの間においては、レッグカフ１４７の近位縁部１５７は自由のままである（すなわち、シャーシ１００の内面１０２又は吸収性コア２００に取り付けられていない）。また、長手方向に対向するレッグカフ取り付けゾーンの間において、各レッグカフ１４７は、１つ以上の（特に、１つのレッグカフ１４７につき１つ、２つ、３つ又は４つの弾性ストランドを含む）長手方向に伸縮性のカフ弾性ギャザー部材１５９を含んでもよく、これらは、任意の好適な方法により、レッグカフ１４７の近位縁部１５７に、又はこれと隣接するように配設され得る。このようなカフ弾性ギャザー部材１５９それぞれが、レッグカフの全長にわたって、又はレッグカフの長さの一部のみにわたって取り付けられてよい。例えば、このようなカフ弾性ギャザー部材１５９は、レッグカフの長手方向に対向する端部において、又はその付近でのみ取り付けられてよく、かつレッグカフ長さの中央において取り付けられていなくてよい。そのようなカフ弾性ギャザー部材１５９は、股部領域３７に配設され得、また前側腰部領域３６及び後側腰部領域３８の一方又は両方の中まで延在し得る。例えば、弾性ギャザー部材１５９は、レッグカフ１４７のそれぞれの近位縁部１５７に、又はこれと近接するように取り付けられてよく、前側腰部領域３６及び後側腰部領域３８の両方の中まで延在する。
【００７２】
様々な実施形態において、各カフ弾性ギャザー部材１５９は、例えば、折り畳まれたヘムの内部に包囲され得る。様々な実施形態において、カフ弾性ギャザー部材１５９は、レッグカフ１４７を形成する２つの層の間に、シャーシ１００の２つの層によって挟まれてよく、又はシャーシ１００若しくはレッグカフ１４７の表面上に取り付けられ、露出されたままであってもよい。
【００７３】
一実施形態において、各レッグカフの近位縁部１５７に隣接して配設されたカフ弾性ギャザー部材１５９は、伸張されると、レッグカフ近位縁部１５７が、シャーシ１００の平坦な非収縮長さ（例えば、シャーシ１００の長さ）まで延びることを可能にする。弛緩させたとき、カフ弾性ギャザー部材１５９は収縮して前側腰部領域３６及び後側腰部領域３８を互いに向かって引っ張り、それによって物品１０を「Ｕ」字型に曲げ、ここで「Ｕ」字型の内側は、着用者の身体に向けて配置されるように意図される物品１０の部分（すなわち、内面１０２）によって形成され得る。近位縁部１５７のそれぞれは、長手方向に配向されるレッグカフ取り付けゾーンの間において自由なままであるため、弾性ギャザー部材１５９の収縮力は、レッグカフ１４７の近位縁部１５７を、シャーシ１００の内面１０２から離すようにして持ち上げることができる。物品１０が弛緩状態であるとき、近位縁部１５７がこのように持ち上がると、レッグカフ１４７は、排泄物の漏れを防止する、又は少なくとも阻止する、サイドバリアとして機能する位置に持ち上がる。
【００７４】
ウエストバンド
一実施形態において、図１４を参照すると、物品１０は、弾性化したウエストバンド１１２ａ及びｂを含んでもよい。弾性化したウエストバンドは、改善されたフィット感及び収容性を提供することができ、また、弾性的に拡張し、横方向に収縮して着用者の腰部に動的にフィットするように構成されてもよい。弾性化したウエストバンドは、吸収性物品１０の腰部縁部から、吸収性コア２００の腰部縁部に向かって長手方向に延在し得る。一実施形態において、吸収性物品１０は、２つの弾性化したウエストバンドを有してもよく、１つは後側腰部領域３８内に位置付けられ、もう１つは前側腰部領域３６内に位置付けられるが、他のパンツ実施形態は、単一の弾性化したウエストバンドで構成されてもよい。弾性化したウエストバンドは、米国特許第４，５１５，５９５号及び同第５，１５１，０９２号に記載されるものを含む、多くの異なる構成で構築されてもよい。
【００７５】
一実施形態では、弾性化したウエストバンドは、「予め歪ませた」又は「機械的に予め歪ませた」（すなわち、材料を恒久的に伸長させるため、ある程度の局所的パターンで機械的に伸長された）材料を含んでもよい。材料は、好適な深いエンボス加工技術を使用して予め歪ませてもよい。他の実施形態では、材料は、米国特許第５，３３０，４５８号に記載される漸増機械的伸張システムによって材料を方向付けることによって予め歪ませてもよい。材料は、その後、それらの実質的に張力がない状態まで戻されてもよく、したがって、少なくとも最初の伸張点まで伸展可能である、ゼロ歪みの伸張材料が形成される。ゼロ歪み材料の例が、米国特許第２，０７５，１８９号、同第３，０２５，１９９号、同第４，１０７，３６４号、同第４，２０９，５６３号、同第４，８３４，７４１号、及び同第５，１５１，０９２号に開示されている。
【００７６】
フラップ
フラップ１８９（ａ〜ｄ）は、シャーシ１００と別個であってもよいし、又はシャーシ１００と一体化していてもよい。別個のフラップは、シャーシ１００に結合される別個の要素として形成される。いくつかの実施形態において、別個の要素としては、前側腰部領域３６及び／又は後側腰部領域３８でシャーシの側縁部１３７ａ及びｂに結合されている複数のフラップ、例えば、２又は４つのフラップ（多くの場合に耳パネル又はサイドフラップと呼ばれる）が挙げられる（図１２〜１７を参照のこと）。他の実施形態において、別個の要素としては、シャーシ１００の前側及び後側（又は後部）腰部領域にわたって、少なくともシャーシ１３６及び１３８の端縁部にわたって結合されている、前側及び／又は後側ベルト状フラップ（「ベルト」）を挙げることができる（図４ａ、４ｂ、１２及び１９を参照のこと）。いくつかの実施形態において、ウエストバンド１１２はフラップと重なり合って、連続したベルト状構造体を形成することができる（図１４参照）。
【００７７】
ベルト状フラップは、内側不織布層及び外側不織布層、並びにそれらの間に弾性体を含んでもよい。内側不織布層及び外側不織布層は、接着剤又は熱可塑性結合剤を使用して結合されてもよい。様々な好適なベルト状フラップ構成は、米国特許公開第２０１３−０２１１３６３号に見出すことができる。
【００７８】
一体化されたフラップは、長手方向縁部から横方向外側に突出するシャーシの一部（１つ以上の層）である。一体化されたフラップは、フラップの突起部の形状を含むように、シャーシを切断することによって形成されてもよい。
【００７９】
このベルト状フラップを有する適用例で説明した実施形態の多くはパンツ型物品であるが、テープ型物品も同様に一方又は両方の腰部領域に配設されたベルト状フラップを有することができる。
【００８０】
フラップの構造は、吸収性物品の機能性において重要な役割を果たし、下着に使用される弾性体とは根本的に異なる。前述のように、ＳＵＩ及びＵＵＩなどの失禁事象は、高流速及び／又は充満した膀胱からの放出をもたらし得る。失禁事象中に排出される尿の量は、尿失禁の種類、並びに最後にトイレに行ってからの時間、摂取した流体の量、日中又は夜間等といった他の状況によって大きく異なる。充填量は、数滴の尿から６００ｍＬまで様々であり得る。１回の充填量が３００、４００、及び更には５００ｍＬに達することも珍しくはない。これらの充填量レベルは、１ポンド以上になり得る充填量に付随して、かなり大きな下方向への力を呈する。この下方向への力は、弛み、空所化、及び漏れを最小限にするために、吸収性物品シャーシによって相殺されなければならない。充填後にも物品のフィット感を維持するために、物品は、物品のサイドシーム２８０ａ及びｂに近接して、かつこれらに沿って配設され（例えば、図１５を参照、エラストマー要素１４６は、シーム２８０ａ及びｂに近接して、かつサイドシーム２８０ａ及びｂの長さに沿って終端している）、片側から他側に向かって横方向に延びる、エラストマー要素１４６（フィルム（孔付きフィルム）及び／又はストランドなど）を備える。これらのエラストマー要素（１つ又は複数）は、物品を固定するのに十分な垂直力を、身体に対して生じさせなければならない。エラストマー要素１４６のそれぞれは、（図４ａ、４ｂ、１２及び１５に示すようなカットとは対照的に）前側及び後側ベルトのサイドシーム２８０ａからサイドシーム２８０ｂまで、ベルト腰部縁部１３６、１３８から反対側のベルト端縁部までの長手方向距離に沿って連続的に延在してもよく、そのため、１つ以上のエラストマー要素１４６が吸収性コア２００と重なり合う。３つ以上のエラストマー要素１４６が、前側及び／又は後側腰部領域３６及び３８内のコアと重なり合うことが望ましい場合がある。エラストマー要素（１つ又は複数）の位置、及びエラストマー要素（１つ又は複数）によって加えられる力は、臀部において、また身体に沿って（具体的には前部腰部領域にわたって、後部腰部領域内で）適切に固定するのを確実にするように変化させることができる。充填された物品のフィット感を維持するのに役に立つ固定の一形態は、１９９４年１０月２５日にＬａＶｏｎらに発行された米国特許第５，３５８，５００号、「Ａｂｓｏｒｂｅｎｔ  Ａｒｔｉｃｌｅｓ  Ｐｒｏｖｉｄｉｎｇ  Ｓｕｓｔａｉｎｅｄ  Ｄｙｎａｍｉｃ  Ｆｉｔ」に開示されている。腰部縁部及び脚部縁部に沿って弾性体を有する通常の下着は、通常は、３００〜６００グラムの重量が下着の股部領域に加えられた場合に下着のフィット感を維持するのに十分なだけの支持を提供しないことにも留意されたい。
【００８１】
図１１に示すように、フラップは脚部開口部に沿って成形されてもよい。
【００８２】
締結システム
吸収性物品はまた、締結システムを含んでもよい。締結時、締結システムは、前側腰部領域３６と後側腰部領域３８とを相互に接続し、吸収性物品１０の着用時に、着用者を取り囲むことができる腰部の外周となる。これは、後側腰部領域のフラップ１８９ａ及びｂが前側腰部領域のフラップ１８９ｃ及びｄと相互接続することにより、又は後側腰部領域のフラップが前側腰部領域のシャーシ１００と相互接続することにより、達成され得る。締結システムは、例えば、テープタブ、フック・ループ式締結要素、タブ及びスロットのような噛合締結具、バックル、ボタン、スナップ、並びに／又は雌雄同体締結要素等の締結具５３ａ及びｂを含むことができるが、その他の既知の任意の締結手段も、一般に許容可能である。締結具は、織布であっても不織布であってもよいランディング領域１１８と取り外し可能に係合し得る。いくつかの例示的な表面締結システムは、米国特許第３，８４８，５９４号、同第４，６６２，８７５号、同第４，８４６，８１５号、同第４，８９４，０６０号、同第４，９４６，５２７号、同第５，１５１，０９２号、及び同第５，２２１，２７４号に開示されている。例示的な相互係合締結システムは、米国特許第６，４３２，０９８号に開示されている。締結システムはまた、米国特許第４，９６３，１４０号に開示されているように、使い捨て構成において物品を保持するための手段を提供してもよい。締結システムはまた、米国特許第４，６９９，６２２号に開示されているように、一次及び二次締結システムを含んでもよい。締結システムは、米国特許第５，２４２，４３６号、同第５，４９９，９７８号、同第５，５０７，７３６号、及び同第５，５９１，１５２号に開示されているように、重なり合っている部分のずれを低減するか、又はフィット感を改善するように構成されてもよい。
【００８３】
同一又は実質的に同一のシャーシ
米国特許公開第２０１３−０２１１３５５号に開示されるように、異なるサイズの着用者にフィットするが、同一又は実質的に同一のシャーシを含む、パッケージのアレイを提供することが望ましい場合がある。例えば、アレイは、第１のサイズの吸収性物品を含む第１のパッケージを含み得、第２のパッケージは、第２のサイズの吸収性物品を含み得、第１のパッケージ及び第２のパッケージは、米国特許公開第２０１３−０２１１３５５号に記載されているような同一の又は実質的に同一のシャーシを含む。より具体的には、第１のパッケージは第１のシャーシを含み得、第２のパッケージは第２のシャーシを含み得、第１のシャーシ及び第２のシャーシのそれぞれは、横方向中心線でのコア幅、前側又は後側コア末端部の一方でのコア幅、左外側カフの遠位縁部から右外側カフの遠位縁部までの距離、左内側カフの遠位縁部から左外側カフの遠位縁部までの距離、左内側カフの近位縁部から右内側カフの近位縁部までの距離、左内側カフの近位縁部から左外側カフの遠位縁部までの距離、内側カフの自由高さ、内側カフのヘム折り畳み幅、内側カフの弾性体長さ、外側カフの弾性体長さ、コア長さ、及びバックシート幅のうちの１つ以上の同一の寸法を含む。
【００８４】
更に、第１のシャーシ及び第２のシャーシのそれぞれは、トップシート、バックシートフィルム、バックシート不織布、コア超吸収性ポリマー、コアパルプ、コア不織布、コアティッシュ、レッグカフフィルム、レッグカフ不織布、超吸収性ポリマー接着剤、コア不織布接着剤、レッグカフ弾性体接着剤、及びバックシート不織布／フィルム接着剤のうちの１つ以上の同一の化学組成を含んでもよい。
【００８５】
また、第１のシャーシ及び第２のシャーシのそれぞれは、トップシート、バックシートフィルム、バックシート不織布、コア超吸収性ポリマー、コアパルプ、レッグカフ不織布、レッグカフフィルム、超吸収性ポリマー接着剤、レッグカフ接着剤、及びバックシート不織布／フィルム接着剤のうちの１つ以上の同一の坪量を含んでもよい。
【００８６】
また、第１のシャーシ及び第２のシャーシのそれぞれは、組成的に同一のコア超吸収性ポリマーを含んでもよい。第１のシャーシ及び第２のシャーシは、前側腰部領域、後側腰部領域、及び股部領域のうちの少なくとも１つにおいて、同一の構成要素の断面形式及び配置を有してもよい。第１のシャーシ及び第２のシャーシの内側レッグカフは、組成的に同一の材料からなってもよい。
【００８７】
また、第１のシャーシ及び第２のシャーシのコア接着剤は、同じ接着剤（１つ又は複数）であってもよい。第１のシャーシ及び第２のシャーシは、同じ化学クラス及びサブクラス内のコア超吸収性ポリマーを含んでもよい。
【００８８】
また、第１のシャーシ及び第２のシャーシのそれぞれは、第１の濡れインジケータ及び第２の濡れインジケータをそれぞれ含んでもよく、その場合、第１の濡れインジケータ及び第２の濡れインジケータは組成的に同一である。
【００８９】
更に、第１のシャーシ及び第２のシャーシの内側レッグカフは、前側腰部領域、後側腰部領域、及び股部領域のうちの少なくとも１つにおいて同一の構成要素の断面形式及び配置を有してもよい。左外側カフの遠位縁部から右外側カフの遠位縁部までの距離は同じであってもよい。左内側カフの近位縁部から左外側カフの遠位縁部までの距離は同じであってもよい。左内側カフの近位縁部から右内側カフの近位縁部までの距離は同じである。内側及び外側カフの長さは、同じである。
【００９０】
いくつかの実施形態では、吸収性物品が異なるサイズの着用者にフィットするのを可能にするためにフラップ又はベルトを使用することができるので、アレイ内に提供される異なるサイズは、同一又は実質的に同一のシャーシを有し得る。例えば、第１の吸収性物品及び第２の吸収性物品は、（組成的に、寸法的に、断面的に）同一のシャーシを有することができるが、第１の物品は第２の物品よりも小さな着用者にフィットすることを対象とすることができるように、第１の物品は、ベルトの配置により異なる長さを有してもよい。第２の例として、第１の吸収性物品及び第２の吸収性物品は、（組成的に、寸法的に、断面的に）同一のシャーシを有することができるが、第１の物品は第２の物品よりも小さな着用者にフィットすることを対象とすることができるように、第１の物品は、ベルトのサイズにより異なる長さ及び／又は幅を有してもよい。
【００９１】
いくつかの実施形態では、第１の吸収性物品及び第２の吸収性物品は、組成的に同一であるが、寸法的に及び断面的に異なるシャーシを有してもよい。いくつかの実施形態では、第１の吸収性物品及び第２の吸収性物品は、寸法的に同一であるが、組成的に及び断面的に異なるシャーシを有してもよい。いくつかの実施形態では、第１の吸収性物品及び第２の吸収性物品は、断面的に同一であるが、寸法的に及び組成的に異なるシャーシを有してもよい。更に他の実施形態では、第１の吸収性物品及び第２の吸収性物品は、（１）組成的、（２）寸法的、及び（３）断面的のうちの２つにおいて同一であるが、３つとも同一ではないシャーシを有してもよい。 
【００９２】
【表１】
2020525082.tif 000003
【００９３】
【表２】
2020525082.tif 000004
【００９４】
【表３】
2020525082.tif 000005
【００９５】
体形に対してよりビキニ又はヒップスター様製品形状を提供するために、製品臀部−側部シルエットを身体臀部−側部シルエットに関連付けることが望ましい場合がある。ビキニ及びヒップスター様下着は、身体臀部−側部シルエットよりも大きい製品臀部−側部シルエットを示す。表１ａ及び１ｂは、今日の市販製品アレイのいくつかを示す。図９は、これらのアレイの製品臀部−側部シルエットと身体臀部−側部シルエットとを比較した様子を示す。今日の製品アレイは、身体臀部−側部シルエットよりも大きい製品臀部−側部シルエットを提供しないことが分かる。また、体形に対してよりビキニ又はヒップスター様製品形状を提供するために、製品腰部−側部シルエットを身体腰部−側部シルエットに関連付けることも望ましい場合がある。ビキニ及びヒップスター様下着は、身体腰部−側部シルエットよりも大きい製品腰部−側部シルエットを示す。表１ａ及び１ｂは、今日の市販製品アレイのいくつかを詳細に示す。図２５は、これらのアレイの製品腰部−側部シルエットと身体腰部−側部シルエットとを比較した様子を示す。今日の製品アレイは、身体腰部−側部シルエットよりも大きい製品腰部−側部シルエットを提供しないことが分かる。
【００９６】
表２は、２、３、及び４つのパッケージのいくつかの本発明のアレイを示し、その製品臀部−側部シルエットは、身体臀部−側部シルエットよりも大きく、よりビキニ及びヒップスター様製品を提供する。これらの本発明のアレイは、単に非限定的な例として提供されている。その他の本発明のアレイが、本開示の範囲内において可能である。これらの本発明のアレイを図１０にも示す。表２はまた、２、３、及び４つのパッケージのいくつかの本発明のアレイを示し、その製品腰部−側部シルエットは、身体腰部−側部シルエットよりも大きく、よりビキニ及びヒップスター様製品を提供する。これらの本発明のアレイは、単に非限定的な例として提供されている。その他の本発明のアレイが、本開示の範囲内において可能である。これらの本発明の腰部−側部シルエットアレイを図２６にも示す。
【００９７】
約２．２〜約６、又は約２．５〜約６、又は約２．７５〜約６、又は約３〜約６、又は約３．２５〜約６、又は約３．５〜約６の製品臀部−側部シルエット値、及び約２．１〜約６、又は約２．４〜約６、又は約２．７５〜約６、又は約３〜約６、又は約３．５〜約６の製品腰部−側部シルエット値を有する吸収性物品を有することが望ましい場合がある。
【００９８】
約２．２、約２．５、約３、又は約３．５〜約４、約５、又は約６、及びこれらの任意の組み合わせの製品臀部−側部シルエット値を有する吸収性物品を有することが望ましい場合がある。約２．１、約２．５、約３、又は約３．５〜約４、約５、又は約６、及びこれらの任意の組み合わせの製品腰部−側部シルエット値を有する吸収性物品を有することが望ましい場合がある。
【００９９】
弛緩製品長の約４５％、〜約４０％、約３５％、約３０％、又は約２５％未満であるが、弛緩製品長の約１０％、約１２％、又は約１５％超の弛緩製品側部長を有する吸収性物品を有することが望ましい場合がある。
【０１００】
アレイ内に吸収性物品を有し、アレイが２つ以上の吸収性物品を含み、アレイ内の１つ以上の吸収性物品が、約２．２〜約６、又は約２．５〜約６、又は約２．７５〜約６、又は約３〜約６、又は約３．２５〜約６、又は約３．５〜約６の製品臀部−側部シルエット値、及び約２．１〜約６、又は約２．４〜約６、又は約２．７５〜約６、又は約３〜約６、又は約３．５〜約６の製品腰部−側部シルエット値を有することが望ましい場合がある。更に、約２．２〜約６、又は約２．３〜約５．６、又は約２．７５〜約５、又は約３〜約４、又は約３．２５〜約４のアレイ平均製品臀部−側部シルエット値、及び約２．１〜約６、又は約２．４〜約５、又は約２．７５〜約４、又は約３〜約３．５の製品腰部−側部シルエット値を有することが望ましい場合がある。
【０１０１】
アレイ内に吸収性物品を有し、アレイが２つ以上の吸収性物品を含み、アレイ内の１つ以上の吸収性物品が、弛緩製品長の約４５％、約４０％、約３５％、約３０％、又は約２５％未満の弛緩製品側部長を有することが望ましい場合がある。
【０１０２】
試験方法
製品測定の準備
測定は全て、２２℃＋／−２°及び５０％＋／−２０％のＲＨで行う。
【０１０３】
目的
この方法は、その後の寸法測定のためにパンツ型製品を準備するのに使用される。この方法は、袋から取り出された製品を開封する一貫した手段を提供する。この方法は、全ての形態のパンツ製品に適用可能である。コンピュータインターフェースを有する、定速伸展の引張試験機が使用される。
【０１０４】
ロードセルは、ロードセル容量が５Ｎの負荷の正確度を０．１Ｎ以内で保証するように選択される。
【０１０５】
サンプルホルダー装置
最も長いサイドシームの長さよりも長く延びている、各々９．５０ｍｍのロッド半径を有する、「Ｃ」（３０４）バー取り付け具及び「Ｏ」（３０５）バー取り付け具。図２０を参照のこと。これらのバーは、それらの長手方向軸線が同じ垂直平面内にありかつ上側バーが下側バーの真上に装着されるようにして、引張試験機内に水平に装着される。
【０１０６】
機器設定
計器製造業者の推奨に従って引張試験機機器を較正する。
【０１０７】
初期ゲージ長は、袋から１０個のサンプル製品を取り出し、パンツ製品（３０７）を広げ、下記図２１で示すようにそれらを平らに置き、図示されるようにパンツの腰部における側部間の距離（３０６）を測定することによって決定される。腰部測定値の平均を、試料の特定のセットの初期ゲージ長として使用することになる。初期ゲージ長は、上側バーの最上縁部から下側バーの最下縁部までの距離である。
【０１０８】
試料の操作を最小限にしながら、図２２に示すように、製品（３０７）全体をバーに適用する。
【０１０９】
サンプルを５Ｎの力で引っ張り、次いで１０秒間保持する。初期ゲージ長に戻る。
【０１１０】
クロスヘッド速度＝２５４．０ｍｍ／分、データ取得速度＝５０Ｈｚ。
【０１１１】
周期＝１
操作を最小限にしながら、試料をバーから取り外す。図６に示すように、前面が上を向くようにして試料を平らに置く。
【０１１２】
１０個の試料全てについて繰り返す
物理的測定
１０個の別々の類似の試料に対して以下の測定の各々を行うことになり、これら１０個の別々の類似の試料の平均が、その特定の試料セットの測定値と見なされる。
【０１１３】
弛緩製品長（３００）
弛緩製品長は、股部領域内の長手方向最遠位点と、前側腰部縁部に沿った長手方向最遠位点との間の、長手方向距離である。長手方向距離は、製品の長手方向軸線に対して平行に測定される。図６及び７を参照のこと。
【０１１４】
弛緩製品臀部幅（３０１）
弛緩製品臀部幅は、左脚部開口部の上側縁部における、製品の左側縁部の横方向最遠位点から、右脚部開口部の上側縁部における、製品の右側縁部の横方向最遠位点までの、横方向距離である。図６及び７を参照のこと。横方向距離は、製品の長手方向軸線に対して垂直に測定される。
【０１１５】
弛緩製品腰部幅（３０２）
弛緩製品腰部幅は、前側腰部縁部の右側における最遠位点から前側腰部縁部の左側における最遠位点までの、横方向距離である。横方向距離は、製品の長手方向軸線に対して垂直に測定される。図６及び７を参照のこと。
【０１１６】
弛緩製品側部長（３０３）
弛緩製品側部長は、製品の腰部縁部と側縁部との交点から、製品の脚部開口部の頂部と同じ側縁部との交点までの直線距離である。弛緩製品側部長の測定値は、製品の左側及び右側からの測定値の平均である。図６及び７を参照のこと。
【０１１７】
上記の測定値のそれぞれを＋／−１．０ｍｍ以内に記録する。
【図１】
2020525082.tif 000006
【図２】
2020525082.tif 000007
【図３】
2020525082.tif 000008
【図４ａ】
2020525082.tif 000009
【図４ｂ】
2020525082.tif 000010
【図５】
2020525082.tif 000011
【図６】
2020525082.tif 000012
【図７】
2020525082.tif 000013
【図８】
2020525082.tif 000014
【図９】
2020525082.tif 000015
【図１０】
2020525082.tif 000016
【図１１】
2020525082.tif 000017
【図１２】
2020525082.tif 000018
【図１３】
2020525082.tif 000019
【図１４】
2020525082.tif 000020
【図１５】
2020525082.tif 000021
【図１６】
2020525082.tif 000022
【図１７】
2020525082.tif 000023
【図１８】
2020525082.tif 000024
【図１９】
2020525082.tif 000025
【図２０】
2020525082.tif 000026
【図２１】
2020525082.tif 000027
【図２２】
2020525082.tif 000028
【図２３】
2020525082.tif 000029
【図２４】
2020525082.tif 000030
【図２５】
2020525082.tif 000031
【図２６】
2020525082.tif 000032
【手続補正書】
【提出日】令和1年12月24日(2019.12.24)
【手続補正１】
【補正対象書類名】図面
【補正対象項目名】全図
【補正方法】変更
【補正の内容】
【図１】
2020525082.tif 000033
【図２】
2020525082.tif 000034
【図３】
2020525082.tif 000035
【図４ａ】
2020525082.tif 000036
【図４ｂ】
2020525082.tif 000037
【図５】
2020525082.tif 000038
【図６】
2020525082.tif 000039
【図７】
2020525082.tif 000040
【図８】
2020525082.tif 000041
【図９】
2020525082.tif 000042
【図１０】
2020525082.tif 000043
【図１１】
2020525082.tif 000044
【図１２】
2020525082.tif 000045
【図１３】
2020525082.tif 000046
【図１４】
2020525082.tif 000047
【図１５】
2020525082.tif 000048
【図１６】
2020525082.tif 000049
【図１７】
2020525082.tif 000050
【図１８】
2020525082.tif 000051
【図１９】
2020525082.tif 000052
【図２０】
2020525082.tif 000053
【図２１】
2020525082.tif 000054
【図２２】
2020525082.tif 000055
【図２３】
2020525082.tif 000056
【図２４】
2020525082.tif 000057
【図２５】
2020525082.tif 000058
【図２６】
2020525082.tif 000059
【国際調査報告】
2020525082.tif 000060
2020525082.tif 000061